(57)【特許請求の範囲】
【請求項１】
測定者の体重を測定する体重測定手段と、
前記測定の結果を表示する表示手段と、
測定者が測定の際に乗る測定面上に配設された、入力操作を行う操作部と、
前記操作部の入力操作により測定者のユーザ登録をするユーザ登録手段と、
前記操作部の入力操作により、測定するモードを選択するモード選択手段と、
前記モード選択手段により荷物モードが選択された場合、それ以降の前記操作部の入力操作を無効にする入力操作無効手段と、
を具備したことを特徴とする生体情報測定装置。
【請求項２】
前記測定者の生体インピーダンスを測定する生体インピーダンス測定手段と、
前記測定した体重と、前記測定した生体インピーダンス、及び、ユーザ登録された測定者の情報とから、測定者の体組成を算出する体組成算出する体組成算出手段と、を備え、
前記表示手段は、前記測定した体重と前記算出した体組成を表示する、
ことを特徴とする請求項１に記載の生体情報測定装置。
【請求項３】
前記入力操作無効手段は、前記荷物モードにおいて、前記測定面に載せた荷物が下ろされた場合に、前記無効にした入力操作を有効にする、
ことを特徴とする請求項１又は、請求項２に記載の生体情報測定装置。
【請求項４】
前記入力操作無効手段は、前記荷物モードにおいて、前記体重測定手段による測定が終了する前に前記測定面に載せた荷物が下ろされた場合に、前記無効にした入力操作を有効にする、
ことを特徴とする請求項１又は、請求項２に記載の生体情報測定装置。
【請求項５】
前記入力操作無効手段は、前記荷物モードにおいて、前記測定面に載せた荷物の測定が終了してから所定時間経過した後に、前記無効にした入力操作を有効にする、
ことを特徴とする請求項１又は、請求項２に記載の生体情報測定装置。
【請求項６】
前記無効にした入力操作は、電源がＯＦＦにされ、その後電源がＯＮにされた場合には有効になっている、
ことを特徴とする請求項１から請求項５のうちのいずれか１の請求項に記載の生体情報測定装置。
【発明の詳細な説明】
【技術分野】
【０００１】
本発明は、体重や体組成等の生体情報を測定する生体情報測定装置に係り、詳細には、本体正面に操作キーが配設されている生体情報測定装置に関する。
【背景技術】
【０００２】
自己の健康や体調の管理等を目的として体重を測定することが従来から行われている。
近年では体重の測定に加え、生体インピーダンスを測定し、この測定値と予め登録された身長、性別等の基礎情報とから体脂肪率を算出し、体重と共に表示する生体情報測定装置が広く使用されている（特許文献１）。また、体重と体脂肪率に加え、測定した体重と生体インピーダンスと登録した基礎情報から、基礎代謝や内臓脂肪率、身体年齢等の各種体組成も算出し表示するようにした生体情報測定装置も存在している。
【０００３】
生体情報測定装置では、操作キーが本体上面（測定時に測定者が乗る面）に設けられている場合が多い。
この操作キーの操作により、測定者の基礎情報を入力したり、各種モードの設定が行われる。設定モードとしては、例えば、体重だけを測定する体重モード、登録済みユーザ以外の者が測定するゲストモード、測定者を自動で認識する自動認識モード（デフォルト設定）等があり、測定者は適宜モードを選択したうえで測定を行う。
【０００４】
従来、このような生体情報測定装置を利用して荷物などの重量を計量する場合、生体情報測定装置の機能である「体重モード」を使用して計量していた。
一般に体重を測定するための素子は測定面に対して４隅の４カ所に配設され、又は、左右若しくは上下の２カ所に配設されているため、できるだけ測定面の中央に荷物を載せることが、精度良い測定を行うために好ましい。
しかし、本体上面に操作キーが配置されている生体情報測定装置では、計測のために荷物を置くと、操作キーが反応してしまう場合があった。
そのため、操作キーに触れないように荷物を置くか、キーが荷物に反応し生体情報測定装置が誤動作をしながら計量するしかなかった。
【先行技術文献】
【特許文献】
【０００５】
【特許文献１】特開２００２−２３８９０４号公報
【発明の概要】
【発明が解決しようとする課題】
【０００６】
本発明は、荷物等の重さを確実に測定することが可能な生体情報測定装置を提供することを目的とする。
【課題を解決するための手段】
【０００７】
（１）請求項１に記載の発明では、測定者の体重を測定する体重測定手段と、前記測定の結果を表示する表示手段と、測定者が測定の際に乗る測定面上に配設された、入力操作を行う操作部と、前記操作部の入力操作により測定者のユーザ登録をするユーザ登録手段と、前記操作部の入力操作により、測定するモードを選択するモード選択手段と、前記モード選択手段により荷物モードが選択された場合、それ以降の前記操作部の入力操作を無効にする入力操作無効手段と、を具備したことを特徴とする生体情報測定装置を提供する。
（２）請求項２に記載の発明では、前記測定者の生体インピーダンスを測定する生体インピーダンス測定手段と、前記測定した体重と、前記測定した生体インピーダンス、及び、ユーザ登録された測定者の情報とから、測定者の体組成を算出する体組成算出する体組成算出手段と、を備え、前記表示手段は、前記測定した体重と前記算出した体組成を表示する、ことを特徴とする請求項１に記載の生体情報測定装置を提供する。
（３）請求項３に記載の発明では、前記入力操作無効手段は、前記荷物モードにおいて、前記測定面に載せた荷物が下ろされた場合に、前記無効にした入力操作を有効にする、ことを特徴とする請求項１又は、請求項２に記載の生体情報測定装置を提供する。
（４）請求項４に記載の発明では、前記入力操作無効手段は、前記荷物モードにおいて、前記体重測定手段による測定が終了する前に前記測定面に載せた荷物が下ろされた場合に、前記無効にした入力操作を有効にする、ことを特徴とする請求項１又は、請求項２に記載の生体情報測定装置を提供する。
（５）請求項５に記載の発明では、前記入力操作無効手段は、前記荷物モードにおいて、前記測定面に載せた荷物の測定が終了してから所定時間経過した後に、前記無効にした入力操作を有効にする、ことを特徴とする請求項１又は、請求項２に記載の生体情報測定装置を提供する。
（６）請求項６に記載の発明では、前記無効にした入力操作は、電源がＯＦＦにされ、その後電源がＯＮにされた場合には有効になっている、ことを特徴とする請求項１から請求項５のうちのいずれか１の請求項に記載の生体情報測定装置を提供する。
【発明の効果】
【０００８】
本発明によれば、荷物モードにおいて、測定面に配設された操作部の入力操作を無効にするので、荷物等の重さを確実に測定することができる。
【図面の簡単な説明】
【０００９】
【図１】生体情報測定装置の外観構成図である。
【図２】生体情報測定装置の機能ブロック図である。
【図３】ユーザ情報記憶部、測定結果履歴データの記憶データの内容を概念的に表した説明図である。
【図４】表示部の表示画面の詳細を表した説明図である。
【図５】測定処理動作の全体を表したフローチャートである。
【図６】荷物モード測定の第１例について、その詳細を表したフローチャートである。
【図７】荷物モード測定の第２例について、その詳細を表したフローチャートである。
【図８】荷物モード測定の第３例について、その詳細を表したフローチャートである。
【発明を実施するための形態】
【００１０】
以下、本発明の生体情報測定装置における好適な実施の形態について、図１から図８を参照して詳細に説明する。
（１）実施形態の概要
本実施形態では、測定の際に測定者が乗る面（測定面）上に各種操作キーが配設されている生体情報測定装置を使用して、誤動作無く荷物等の測定を行うことを可能にしたものである。
本実施形態の生体情報測定装置では、荷物の重さ（質量）を測定する荷物モード（従来の体重のみ測定するモードを含む）を設ける。そして、操作キーの操作によって荷物モードが選択された場合には、所定期間又は所定操作がされるまでの間、操作キーを無効にする。
【００１１】
荷物モードの選択により操作キーを無効にした後は、次のいずれか１又は、複数の組合せ（ａとｃの組を除く）により処理される。
（ａ）測定が終了し、荷物が生体情報測定装置から下ろされた場合、操作キーを有効にする（操作キーを復帰させる）。
（ｂ）測定終了前に荷物が下ろされた場合、操作キーを有効にし、「荷物モード」から抜ける（デフォルトのモードに戻る）。
（ｃ）測定が終了し、荷物が生体情報測定装置から下ろされてから一定時間経過後に操作キーを有効にし、「荷物モード」から抜ける。
（ｄ）電源ＯＦＦにより、「荷物モード」から抜け、操作キーを有効にする。
【００１２】
これにより、生体情報測定装置を使用して荷物の重さを計測する際に、操作キーに荷物が接触してしまうことが原因で測定をし直したり、操作キーを避けた位置に荷物を載せたりする等の面倒がなくなる。すなわち、荷物モードを選択した場合に、荷物を載せる位置や載せた状態を考慮することなく荷物の重さを測定することができるので、荷物を測定する際の利便性が向上する。
また、操作キーが存在しない、又は、測定面に操作キーが存在しない測定装置と同じように生体情報測定装置を使用することができ、生体情報測定装置で計量用の量りを兼ねることができる。
【００１３】
なお、本実施形態では、測定した体重と生体インピーダンス及び登録済みの基礎情報（身長、性別、生年月日）を使用して、ＢＭＩ（Ｂｏｄｙ  Ｍａｓｓ  Ｉｎｄｅｘ）、基礎代謝、体脂肪率、内蔵脂肪レベル（率）、身体年齢等の各種体組成を算出して体重と共に表示する生体情報測定装置を対象とするが、少なくとも体重を測定する機能を備え、且つ、測定面上に操作キーが配設された装置であれば適用対象とすることが可能である。
例えば、体重、生体インピーダンス、基礎情報から体脂肪率だけを算出し、体重と共に体脂肪率を表示する体脂肪計を対象とすることも可能である。
また、体重だけを測定して基礎情報からＢＭＩ又は／及び基礎代謝を算出する生体情報測定装置であってもよい。
更に、体重だけを測定し、保存済みの測定履歴（体重）と比較することで測定者を自動認識する体重計であってもよい。
【００１４】
（２）実施形態の詳細
図１は本実施形態が適用される生体情報測定装置の外観構成を表したもので、（ａ）は平面図、（ｂ）は正面図、（ｃ）は背面図である。
図１（ａ）に示されるように、本実施形態の生体情報測定装置１は装置本体１０を備えており、装置本体１０の測定面（上面）には、表示部１１、足の配置に合わせた左右上下の４カ所に測定用電極１２が配設されている。また、測定面には、４カ所の測定用電極１２のほぼ中央位置に、操作部１３が配置されている。但し、操作部１３は、測定面上であれば他の場所に配置することも可能である。
【００１５】
装置本体１０の裏側には、図１（ａ）で点線で示され、図１（ｂ）、（ｃ）に示されるように、４隅に重量センサ１５Ｌｆ、１５Ｌｂ、１５Ｒｆ、１５Ｒｂが配設され、更に、装置本体１０の前側の両隅にはプッシュスイッチ１６Ｌ、１６Ｒが配置されている。
また、図１（ｂ）に示すように、装置本体１０の後方側面に電源スイッチ１４が配設されている。
【００１６】
装置本体１０は、被測定者が乗る面（測定面）を備えた筐体である。
装置本体１０の内部には、図示しない電子回路、電源、電源保持部などが設けられている。
【００１７】
表示部１１は、液晶ディスプレイで構成されている。
本実施形態の表示部１１は、セグメント方式が採用されているが、ドットマトリクス方式の液晶ディスプレイを採用することも可能である。
表示部１１は、ユーザ登録の際に入力される入力情報や、体重や体脂肪率等の測定結果等が表示されるようになっている。
表示部１１の各表示項目と表示領域については後述する。
【００１８】
測定用電極１２Ｌｆ、１２Ｌｂ、１２Ｒｆ、１２Ｒｂは、装置本体１０に乗った被測定者の生体インピーダンスを測定するためのものであり、前後左右の合計４つが配設されている。
測定用電極１２Ｌｆ、１２Ｌｂ、１２Ｒｆ、１２Ｒｂにより、各電極間の抵抗値が測定されることで、測定者の生体インピーダンスが算出されるようになっている。
実際には、１の電極から高周波の微弱定電流が印加され、他の１の電極で電圧降下分が測定され、この電圧降下分から両電極間の抵抗値が測定される。
【００１９】
測定用電極１２Ｌｆ、１２Ｌｂ、１２Ｒｆ、１２Ｒｂは、その配置箇所により、左右に対するＬ、Ｒ、及び、前後に対するｆ、ｂの添え字により区別して表示している。
測定に際して測定者は、左右の両足について、土踏まずを挟んだつま先側と踵側のそれぞれの箇所を、各測定用電極１２Ｌｆ、１２Ｌｂ、１２Ｒｆ、１２Ｒｂ上に乗せる。
なお、以下の説明では、測定用電極を指定する場合の符号として、前後は問わず左右のいずれかを指定する場合には１２Ｌ、１２Ｒと表記し、左右は問わず前後のいずれかを指定する場合には１２ｆ、１２ｂと表記し、前後左右のいずれも問わずに測定用電極のいずれか１つ又は全体を指定する場合には１２と表記することとする。
この添字の表記については、重量センサ１５Ｌｆ、１５Ｌｂ、１５Ｒｆ、１５Ｒｂ、プッシュスイッチ１６Ｌ、Ｒについても同様である。
【００２０】
操作部１３は、操作キーとして、上キー１３ａ、下キー１３ｂ、クリアキー１３ｃ、設定キー１３ｄを備えている。
上下キー１３ａ、１３ｂは、設定項目が無い表示画面において他の画面に遷移させ、設定項目がある表示画面において設定項目の内容（数値、項目）を変化させるためのキーである。
クリアキー１３ｃは、表示中の各項目、値をクリアして１つ前の画面に戻るためのキーである。
設定キー１３ｄは、設定項目がある表示画面において設定された項目を確定させ、次の設定項目、次の表示画面に遷移させるためのキーである。
この操作部１３の各キー操作により、各ユーザ（測定者）毎の基礎情報（身長、性別、生年月日）の入力、ユーザの選択、各種モードの選択等の各種選択が行われる。
【００２１】
この操作部１３の各キー操作により選択可能なモードとしては、本実施形態における荷物モードの他、登録済みユーザ以外の者が測定するゲストモード、体重だけの測定と表示を行う体重モード、測定者を自動で認識する自動認識モード等があり、本実施形態では自動認識モードがモードのデフォルトとして設定されている。
【００２２】
デフォルトのモードである自動認識モードは、体重と生体インピーダンスを測定し両測定値と測定履歴との比較から測定者を自動認識して各種生体情報を体重と共に表示すると共に、今回の測定値を認識した測定者の履歴として保存する。
操作部１３の操作により、デフォルトモードから他のモードに変更されると、変更後のモードを示すモード情報が不揮発メモリ４０に保存され、所定時間の経過などの各モードに応じた条件を満たした場合にデフォルトモードに復帰する。
【００２３】
本実施形態では、操作部１３の操作により荷物モードが選択されると、操作部１３の各種キー操作が無効になり、その後、載せた荷物が下ろされた等の所定条件を満たした場合にキー操作が復帰する。
【００２４】
生体情報測定装置１は、測定完了後、操作部１３の無操作状態が所定時間（例えば１分）経過すると省電力状態に移行し、表示部１１の液晶ディスプレイがオフ状態となるように構成されている。この無操作状態はタイマーにより検出され、このタイマーは操作部１３の操作がされる毎にリセット（スタート）される。
省電力状態において、操作部１３のいずれかのキーが押下されると、省電力状態が解除されキャリブレーションが開始されるように構成されている。
【００２５】
本実施形態の荷物モードは、操作部１３の操作により選択され、その後の操作が無効になる。
そして、他モードで測定者自身が測定面に乗る場合と異なり、荷物モードでは、荷物を準備する、載せる等の特別な作業を必要とする場合がある。
このため、荷物モードを選択する操作部１３の操作によって、無操作状態検出用のタイマーがリセットされると、荷物を載せる前に省電力状態に移行してしまう可能性がある。
そこで、本実施形態では、荷物モードに移行した場合には、操作部１３の操作に加え、無操作状態検出用タイマーの計測も無効にする。
そして一旦荷物モードに移行すると、その後に操作キーが有効になった（操作キーを復帰させた）際に、無操作状態検出用のタイマーも有効になりリセットされる。
【００２６】
但し、荷物モードでは、タイマーの計測も無効にするのではなく、操作部１３の操作に代えて、荷物を載せた場合と下ろした場合を操作ありと判断して、無操作状態検出用のタイマーをリセットするようにしてもよい。
この場合、荷物モードに移行するための操作部１３の操作によりタイマーがリセット（スタート）されるが、荷物モードにおける上述の特殊状況（荷物の準備等）を考慮し、タイマーが計測する所定時間をデフォルトの時間よりも長く（例えば、２分、３分等）設定する。
【００２７】
電源スイッチ１４は、電源から表示装置１１や後述する制御部等の各部に対するすべての電源供給を切断するスイッチである。
電源スイッチ１４の操作により電源ＯＮ状態と電源オフ状態とが切り替わる。
【００２８】
重量センサ１５Ｌｆ、１５Ｌｂ、１５Ｒｆ、１５Ｒｂは、生体情報測定装置１に乗った測定者の体重を測定するためのセンサであり、本実施形態では４つのロードセルにより構成されている。
各重量センサ１５からは、測定者の重量値に対応する物理量がそれぞれ出力され、各出力値に基づいて測定者の体重が算出されるようになっている。
重量センサ１５の各検出値から算出された測定者の体重は、当該測定者に対して登録された基礎情報と共に、体組成であるＢＭＩ（Ｂｏｄｙ  Ｍａｓｓ  Ｉｎｄｅｘ）と基礎代謝の算出に使用される。また、測定者の体重は、測定用電極１２の検出値から算出された生体インピーダンス、及び基礎情報と共に、体組成である体脂肪率、内蔵脂肪レベル（率）、身体年齢、骨レベル、骨格筋レベル、水分量が算出される。
【００２９】
各重量センサ１５は、測定の際に加わる荷重を１０ｇ単位で測定する。
なお、本実施形態では、後述する測定結果履歴への保存、及び体脂肪率等の生体情報の算出には、１０ｇ単位で算出された体重が使用され、表示装置１１には四捨五入された１００ｇ単位で表示されるが、すべて１０ｇ単位とし、またすべて１００ｇ単位とすることも可能である。
但し、以下の説明では簡略化するため、保存、算出、表示において１００ｇ単位である場合について説明することとする。
【００３０】
プッシュスイッチ１６Ｌ、１６Ｒは、装置本体１０の裏側、前方の左右２カ所に配設されており、測定者が生体情報測定装置１に乗ったこと（ステップオン）を検出するスイッチである。
生体情報測定装置１が省電力状態にある場合において、プッシュスイッチ１６によりステップオンが検出されると、省電力状態から復帰し測定が開始される。
なお、本実施形態の生体情報測定装置１では、２つのプッシュスイッチ１６Ｌ、１６Ｒが前方左右に配置される場合について説明するが、後方左右に配置するようにしてもよく、また前後左右の４カ所に配置するようにしてもよい。
【００３１】
重量センサ１５、測定用電極１２、及び、プッシュスイッチ１６は、いずれも測定時刻を検出する測定時刻検出手段の一部として機能することが可能である。本実施形態では、全てを測定時刻検出手段の一部として機能している。
すなわち、本実施形態では生体情報測定装置１に足を乗せたこと（測定の開始）を重量センサ１５、測定用電極１２、プッシュスイッチ１６で検出し、その検出時の時刻を測定時刻として検出する。
なお、測定時刻は同一規準であれば良く、測定開始時刻以外に、体重と生体インピーダンスの測定が完了した時刻や、生体情報測定装置１から降りた時刻などを採用することが可能である。
測定時刻については、後述する日時情報計測部３３から出力される時刻による。
【００３２】
図２は、生体情報測定装置１の機能ブロックを表したものである。
生体情報測定装置１は、測定結果に基づく生体情報の算出とその表示制御、測定結果履歴への保存、入力操作に対応する制御等の装置全体を各種制御する制御部２０を備えている。
この制御部２０には、表示部１１、操作部１３、プッシュスイッチ１６、Ａ／Ｄ変換部３１、３２、日時情報計測部３３、通信部３４、音声出力部３５、記憶装置として機能する不揮発メモリ４０が接続されている。
【００３３】
Ａ／Ｄ変換部３１は、各重量センサ１５から入力されるアナログの検出値を、それぞれデジタル値に変換して制御部２０に供給する。
Ａ／Ｄ変換部３２は、各測定用電極１２から入力されるアナログの検出値を、それぞれデジタル値に変換して制御部２０に供給する。
【００３４】
日時情報計測部３３は、日時情報として現在の日時を年月日時分秒の単位で計測する測定時刻検出手段の一部として機能し、計測した日時情報を制御部２０に供給する。日時情報については所定タイミング毎に供給するようにしてもよく、制御部２０からの要求に応じて供給するようにしてもよい。
【００３５】
通信部３４は、生体情報測定装置１による各種測定結果を外部に出力するための出力手段として機能している。
通信部３４による測定結果は、本実施形態では無線により出力されるようになっているが、有線により出力するようにしてもよい。
有線による場合の例としては、例えば、ＵＳＢメモリ等の各種記憶媒体への出力、各種ケーブルを介してのパソコンや携帯端末等の外部機器への出力が可能である。
通信部３４による無線通信による測定結果の出力方法として、ブルートゥース（Ｂｌｕｅｔｏｏｔｈ（登録商標）、赤外線通信、ＮＦＣ（登録商標）、ＺｉｇＢｅｅ（登録商標）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（登録商標））、Ｗｉ−Ｆｉ（Ｗｉｒｅｌｅｓｓ  Ｆｉｄｅｌｉｔｙ（登録商標））等の近距離無線通信、３Ｇ方式、４Ｇ方式等の各種無線通信が使用可能である。
本実施形態の通信部３４では、これら有線、無線による各種通信のうち、１または複数の方式によるデータの入出力が可能に構成される。
【００３６】
音声出力部３５は、入力操作時において各入力操作画面に対応した操作案内用のガイダンス音声を出力し、また、測定完了後のビープ音を出力する出力装置である。
音声出力部３５による音声や音については、デフォルトの設定として出力するオン設定になっているが、ユーザ操作によりオフ設定に変更することが可能である。なお、デフォルトの設定を逆にしてもよい。
【００３７】
不揮発メモリ４０は、各種データを保存する記憶媒体で構成され、ユーザ情報記憶部４１、測定結果履歴データ４２、その他のデータが記憶されている。
図３は、ユーザ情報記憶部４１、測定結果履歴データ４２の記憶データの内容を概念的に表したものである。
図３（ａ）に示すように、ユーザ情報記憶部４１には、各ユーザ（測定者）毎の基礎情報として、ユーザ番号、性別、身長、年齢特定情報が保存される。年齢特定情報は、測定時におけるユーザの年齢を算出可能な情報であればよく、登録時のユーザの年齢と登録日、生年月日等が該当する。
【００３８】
測定結果履歴データ４２は、登録された各ユーザのユーザ番号毎にユーザ１履歴４２１、ユーザ２履歴４２２、…が保存される。
測定結果履歴データ４２の各ユーザ履歴は、図３（ｂ）に示すように、体重（ｋｇ）、生体インピーダンス（Ω）、測定日時（年月日時分）が保存される。
なお、図３において、生体インピーダンス（Ｂｉｏｅｌｅｃｔｒｉｃａｌ  Ｉｍｐｅｄａｎｃｅ）はＢＩで表記している。他の図面についても同様に表記する。
【００３９】
本実施形態では、ユーザ登録可能な数が４である場合について説明しているが、５人家族を想定した５人等、測定者の認識が必要な複数であれば登録可能な人数は何人でも可能であり、無制限とすることも可能である。
また、測定結果履歴データ４２に保存する測定履歴の数は、各登録ユーザ毎に最低１件ずつ最新のデータを保存すれば足りるが、その数については任意であり、本実施形態では、統計等に使用するために最大５件の測定履歴が保存される。本実施形態では、測定者の認識処理において最新の測定履歴（１件分）が使用されるが、最新の所定数（複数）を使用するように構成してもよく、また全測定履歴を使用して測定者を認識するように構成してもよい。
また、測定日時は、各測定値から得られる生体情報に基づいて各登録ユーザの健康管理用のデータとして使用する場合、例えば、体重や体脂肪率等の経時変化をグラフ化して表示する等の場合に必要な情報として保存するが、検出及び保存をしないようにしてもよい。特に、測定履歴として最新の１件だけ保存する場合には測定日時を保存しないようにしてもよい。
【００４０】
図４は、表示部１１の表示画面の詳細を表したものである。
図４は、測定終了後における、体重と体脂肪率を表した状態の表示画面である。
表示部１１は、測定結果を表示する出力手段として機能している。
図４に示すように表示部１１は、第１表示部１１１から第６表示部１１６までの、６カ所の表示領域で構成されている。
第１表示部１１１と第２表示部１１２は、測定結果や入力操作における入力値が表示される領域である。
測定結果が表示される場合、第１表示部１１１には体重が表示され、第２表示部１１２には算出された体組成の値が、所定時間（例えば、２秒）の経過ごとに順次切り替えられながら表示される。第２表示部１１２には、体脂肪率、ＢＭＩ、基礎代謝、骨格筋レベル、骨レベル、内臓脂肪レベル、水分量、身体年齢、体脂肪率の順に、順次表示される。第２表示部１１２において、これら体組成が順次切り替え表示されている間、第１表示部１１１には体重が継続的に表示される。
【００４１】
一方、入力操作において入力値が表示される場合、日時設定やユーザの生年月日設定の入力操作において、第１表示部１１１に年が、第２表示部１１２に月日が表示される。また、日時設定において、年月日の入力後において、第１表示部１１１に入力時刻（時、分）が表示される。
【００４２】
第１表示部１１１、第２表示部１１２は、測定値や入力値が表示されると共に、各表示内容に対応して、表示中項目の単位（ｋｇ、ｃｍ、％、Ｋｃａｌ）や、表示項目に対する補助文字（年、月、日、時、分、才、）が表示される。
図４では、測定後における測定結果として、体重（６１．３ｋｇ）と体脂肪率（１５．５％）が表示されている。
【００４３】
第３表示部１１３は、第２表示部１１２に表示されている各体組成が、標準値に対してどの程度離れているかをグラフ表示したものである。標準の３段階と、低い側の３段階、及び、高い側の３段階の合計９段階のレベル表示がされる。
【００４４】
第４表示部１１４は、第１表示部１１１と第２表示部１１２に表示中の項目の項目名が表示される。図４では、第１表示部１１１の表示に対する項目名「体重」が表示され、第２表示部１１２の表示に対する項目名「体脂肪率」が表示されている。
図４では表示されていないが、測定中において第４表示部１１４には「測定中」と表示される。
【００４５】
第５表示部１１５は、ユーザ番号と、性別が表示される。
第５表示部１１５に表示されるユーザ番号については、測定開始前にユーザが指定されている場合には指定されたユーザ番号が表示され、自動認識モードの場合には測定結果から自動認識したユーザ番号が表示される。
第５表示部１１５に表示される性別には、指定又は自動認識されたユーザ番号に対応して、ユーザ情報記憶部４１に保存されている性別が、図４に示されるように「男」又は、「女」として表示される。
【００４６】
第６表示部１１６は、生体情報測定装置１についての各種状態が表示される表示領域で、電池の残量表示、電波の受信状態等が表示される。
【００４７】
図２に戻り、制御部２０は、プログラムに従って各種演算処理を行うＣＰＵ、プログラムが保存されるＲＯＭ、作業領域としてのＲＡＭ等を備えている。
制御部２０は、各種記憶媒体に保存された測定処理プログラムに従って、生体情報の算出、表示、保存等の各処理を行うと共に、本実施形態における測定者識別処理を行う。これらの各処理をプログラムに従って行う機能ブロックとして、制御部２０は、体重算出部２１、生体インピーダンス算出部２２、乗降判定部２３、体組成演算部２４、測定者識別部２５、測定結果記憶制御部２６を備えている。
【００４８】
体重算出部２１は各重量センサ１５で検出され、Ａ／Ｄ変換部３１でデジタル信号に変換された各重量値から測定者の体重を算出する。具体的には、各重量値を合計することで測定者の体重が算出される。
体重算出部２１は、算出した測定者の体重を体組成演算部２４に供給する。
【００４９】
生体インピーダンス算出部２２は、各測定用電極１２で検出され、Ａ／Ｄ変換部３２でデジタル信号に変換された測定用電極１２Ｌと測定用電極１２Ｒ間の抵抗値（左足−体−右足間の抵抗値）から、測定者の生体インピーダンスを算出する。生体インピーダンスの算出については、公知の計算方法が採用され、他の体組成についても公知の計算式や統計データにもとづいて算出される。
生体インピーダンス算出部２２は、算出した測定者の生体インピーダンスを体組成演算部２４に供給する。
【００５０】
乗降判定部２３は、プッシュスイッチ１６から供給される信号（スイッチのオン信号）に基づいて、測定者のステップオンを判定する。上述したように、省電力状態においてステップオンが検出されると、省電力状態が解除され測定が開始される。
【００５１】
体組成演算部２４は、体重算出部２１から供給される体重、生体インピーダンス算出部２２から供給される生体インピーダンス、及び、指定されたユーザ番号又は測定者識別部２５で識別されたユーザ番号に対応してユーザ情報記憶部４１に記録されたユーザ情報（性別、身長、生年月日から算出した年齢）を使用して、測定者の各体組成を算出する。
測定された体重、及び、算出された各体組成については表示部１１に表示される。
【００５２】
測定者識別部２５は、今回の測定により得られた体重、生体インピーダンス、測定時刻と、測定結果履歴データ４２に保存されている各ユーザ毎の測定履歴とを比較することで、測定者の識別、即ち、測定者のユーザ番号の特定を行うことで測定者の認識を行う。
具体的には、体重、生体インピーダンスの両測定値と履歴値との差分が共に所定範囲内あるユーザを認識候補とする。
【００５３】
測定者識別部２５は、認識候補が複数存在する場合、差分が所定範囲内である履歴数が最多の認識候補（ユーザ）を測定者と認識する。履歴数が最多の認識候補が複数いる場合には、当該各認識候補の生体インピーダンスについての差分が最小の認識候補を測定者と認識する。生体インピーダンスについての差分が最小か否かについては、最新の履歴について判断する場合と、該当する履歴毎の差分の平均値により判断する場合のいずれでもよい。
一方、認識候補がいない場合には、今回の測定者は登録済みユーザ以外のゲストであると認識する。
【００５４】
測定結果記憶制御部２６は、今回の測定結果（体重、生体インピーダンス）、及び測定時刻を、測定者識別部２５で識別した測定者のユーザ番号、又は、測定前に指定された測定者のユーザ番号に対応するユーザ履歴４２１〜４２４に保存する。
【００５５】
次に、以上のように構成された生体情報測定装置１による測定処理の動作について説明する。
図５は、測定処理動作の全体を表したフローチャートである。
制御部２０は、測定者によってモードが変更されたか否かを判断する（ステップ１０）。すなわち、制御部２０は、デフォルトのモード（測定者を自動認識する自動認識モード）から、操作部１３の操作によって他のモードが選択されたか否かを判断する。
【００５６】
ここで、測定者が選択可能なモードとしては、ユーザを指定して測定を行うユーザ指定モード、登録済みユーザ以外の測定者が測定するゲストモード、体重だけを測定する体重のみ測定モード、本実施形態における荷物モードなどの各種の測定モードが存在する。
体重のみ測定モードと荷物モードとの違いは、後者が操作部１３のキー操作を無効にするのに対し、前者は無効にしない点である。但し、体重のみ測定モードを荷物モードに含めることも可能であり、この場合には図５で後述するステップ１７、１８は不要になる。
【００５７】
モード変更がされた場合（ステップ１０；Ｙ）、制御部２０は、変更後のモードに対応するモード情報を不揮発メモリ４０に保存すると共に、切り替えた（選択された）モードが荷物モードか判断する（ステップ１１）。
荷物モードである場合（ステップ１１；Ｙ）、制御部２０は、荷物モード測定を行う（ステップ１２）。この荷物モード測定は、本実施形態における荷物等の重さを測定するモードであり、その詳細については後述する。
一方、荷物モードでない場合（ステップ１１；Ｎ）、制御部２０は、体重測定を行う（ステップ１３）。すなわち制御部２０は、４つの重量センサ１５からＡ／Ｄ変換部３１を介して供給される重量値を合計することで測定者の体重を算出する。
なお、ゲストモードが選択されている場合には、制御部２０は、体重測定の前に、測定者によって操作部１３から入力されるゲスト情報（年齢、身長、性別）を取得してＲＡＭに記憶する。
【００５８】
そして制御部２０は、体重測定が完了したか否かを判断する（ステップ１４）。
測定が完了していない場合（ステップ１４；Ｎ）、制御部２０は、測定エラーか否かを判断する（ステップ１５）。測定エラーである場合（ステップ１５；Ｙ）、制御部２０は、表示部１１の所定領域にエラー表示を行い（ステップ１６）、処理を終了する。
ここで、測定エラーと判断される場合として、例えば、測定者が片足だけのせた後に降りてしまった場合などがあり、この場合制御部２０は、４つの重量センサ１５からの重量値が供給される前に重量値がゼロになったこと等から測定エラーと判断する。
一方、測定エラーでなければ（ステップ１５；Ｎ）、制御部２０はステップ１３に戻り測定を継続する。
【００５９】
次に制御部２０は、ステップ１０で切り替えたモードが体重のみ測定モードか否かを判断し（ステップ１７）、体重のみ測定モードであれば（ステップ１７；Ｙ）、制御部２０は、測定した体重を表示部１１に表示し（ステップ１８）、処理を終了する。
【００６０】
なお、体重のみ測定モードである場合（ステップ；Ｙ）、測定結果を表示した後ステップ２２に移行することで、指定された又は自動認識した測定者（ユーザ）に対する測定履歴として測定した体重を保存するようにしても良い。
体重のみ測定モードで測定者の自動認識をする場合には、生体インピーダンスは判断対象から外して認識することになる。このため、自動認識の精度が下がる可能性があるので、必ず自動認識したユーザが正しいか否かを、表示部１１への確認表示と測定者の確認操作がされたことを条件に、測定履歴として保存するようにしてもよい。
【００６１】
一方、体重のみ測定モードでなければ（ステップ１７；Ｎ）、制御部２０は、生体インピーダンス（ＢＩ）を測定する（ステップ１９）。
すなわち、制御部２０は、測定用電極１２からＡ／Ｄ変換部３２を介して供給される各抵抗値から測定者の生体インピーダンスを算出する。
【００６２】
そして制御部２０は、生体インピーダンスの測定が完了したか否かを判断する（ステップ２０）。
測定が完了していない場合（ステップ２０；Ｎ）、制御部２０は、測定エラーか否かを判断する（ステップ２１）。測定エラーである場合（ステップ２１；Ｙ）、制御部２０は、ステップ１６に移行して表示部１１の所定領域にエラー表示を行い処理を終了する。測定エラーと判断される場合としては体重測定の場合と同様である。
一方、測定エラーでなければ（ステップ２１；Ｎ）、制御部２０はステップ１９に戻り測定を継続する。
【００６３】
次に制御部２０は、ステップ１０で切り替えたモードが自動認識モードであるか否かを判断する（ステップ２２）。
自動認識モードではない場合（ステップ２２；Ｎ）、すなわち、ユーザ指定モードとゲストモードである場合、制御部２０は自動認識の必要がないためステップ２６に移行する。
一方、自動認識モードである場合（ステップ２２；Ｙ）、制御部２０は、測定した体重、生体インピーダンスとその許容範囲を使用して測定者を自動で識別する測定者識別処理を行う（ステップ２３）。
【００６４】
この測定者識別処理において制御部２０は、本実施形態の測定者識別処理では、測定結果の各要素（体重、ＢＩ）を、登録済み各ユーザの各履歴情報と比較して、測定者を認識する。
すなわち、制御部２０は、測定した体重と履歴データの体重との差分が所定範囲内（例えば、±２ｋｇ以内）であり、且つ、測定したＢＩと履歴データのＢＩとの差分が所定範囲内（例えば、±１００Ω以内）である登録済みユーザを認識候補とし、認識候補から測定者を認識する。
認識候補が複数存在する場合、制御部２０は、体重とＢＩの両差分が共に所定範囲内である測定履歴数が最も多い認識候補（ユーザ）を測定者と認識する。測定履歴数が最多の認識候補が複数いる場合、制御部２０は、当該各認識候補における生体インピーダンスの差分が最小である認識候補を測定者と認識する。生体インピーダンスについての差分が最小か否かについて、本実施形態では、最新の履歴について判断するが、該当する履歴毎の差分の平均値により判断するようにしてもよい。
一方、認識候補がいない場合には、今回の測定者は登録済みユーザ以外のゲストであると認識する。
【００６５】
測定者の識別が完了した後、制御部２０は測定者確定処理を行う（ステップ２４）。
すなわち、制御部２０は、自動認識した測定者に対応するユーザ番号を表示部１１の第５表示部１１５（図４参照）に表示する。測定者確認は、表示されたユーザ番号を確認し、合っている場合には設定キー１３ｄを押下し、間違っている場合には上キー１３ａか下キー１３ｂで表示されているユーザ番号を変更した後に設定キー１３ｄを押下することで測定者を確定させる。
制御部２０は、測定者が設定キー１３ｄを押した際に第５表示部１１５に表示しているユーザ番号から、測定者を確定させる。
なお、制御部２０は、自動識別した測定者（ユーザ番号）を第５表示部１１５に表示した後、所定時間内に操作部１３の操作がされない場合、及び、測定者が生体情報測定装置１から降りた場合には、表示中のユーザ番号の測定者に確定する。
【００６６】
制御部２０は、測定者が確定したか判断する（ステップ２５）。
測定者が確定しない場合（ステップ２５；Ｎ）、すなわち、クリアキー１３ｃが押下された場合、制御部２０は処理を終了する。
一方、測定者が確定した場合（ステップ２５；Ｙ）、及び、ユーザ指定モードである場合（ステップ２２；Ｎ）、制御部２０は、今回の測定結果を保存する（ステップ２６）。すなわち、制御部２０は、確定した測定者のユーザ番号に対応する測定結果履歴データ４２に、体重、生体インピーダンス、測定日時を保存する。
【００６７】
また制御部２０は、測定結果の保存と並行して、測定結果を表示部１１に表示し（ステップ２７）、処理を終了する。
測定結果の表示において、制御部２０は、図４に例示したように、測定した体重の値を第１表示部１１１に、体重と生体インピーダンス、ユーザ情報から算出した体脂肪率の値を第２表示部１１２に、体脂肪率のレベル表示を第３表示部１１３に表示する。
また、第４表示部１１４には、第１表示部１１１と第２表示部１１２に表示中の項目の項目名を表示し、第５表示部１１５には、確定した測定者のユーザ番号と性別が表示される。
なお、第２表示部１１２は、最初に体脂肪率の値が表示され、その後所定時間（本実施形態では２秒）毎に、体脂肪率、ＢＭＩ、基礎代謝、骨格筋レベル、骨レベル、内臓脂肪レベル、水分量、身体年齢、体脂肪率の順に、順次表示される。第２表示部１１２の切り替えに合わせて第３表示部１１３のレベル表示、と第４表示部１１４の項目名も切り替えて表示される。
第２表示部１１２に表示する、体脂肪率等の各体組成については、体重、生体インピーダンス、基礎情報から算出され、第三表示部１１３のレベル表示については当該表示項目の統計等から求めた標準値を規準に算出される。
【００６８】
次に、荷物モード測定（ステップ１２）の詳細について説明する。
図６は、荷物モード測定の第１例について、その詳細を表したフローチャートである。
この荷物モードが選択されると制御部２０は、操作部１３によるキー入力を無効にする（ステップ３０）。なお、制御部２０は、無操作状態を検出して省電力状態に移行するためのタイマーについても無効にする。
【００６９】
そして制御部２０は、荷物の計量を開始し（ステップ３１）、計量が終了したか否かを判断する（ステップ３２）。
すなわち、制御部２０は、測定面に荷物が載せられ、各重量センサ１５で検出され、Ａ／Ｄ変換部３１でデジタル信号に変換された各質量を取得して各質量の合計を算出したか否かにより計量が終了したか否かを判断する。
【００７０】
計量が終了していない場合（ステップ３２；Ｎ）、制御部２０は、計量の途中で荷物が測定面から下ろされたか否かを判断し（ステップ３３）、下ろされていない場合には（ステップ３３）、計量中であると判断してステップ３２に戻り計量を継続する。
一方、計量途中で荷物が下ろされた場合（ステップ３３；Ｙ）、測定者が荷物モードによる計量が不要と判断して計量を取りやめたものと考えられるため、制御部２０は、無効にしていた操作部１３のキー入力を有効にし（ステップ３４）、ステップ３９に移行する。
【００７１】
ステップ３２において計量が終了したと判断した場合（ステップ３２；Ｙ）、制御部２０は、荷重表示を行う（ステップ３５）。
すなわち、制御部２０は、計量した荷物の荷重（質量）を、表示部１１の第１表示部１１１に表示する。
なお、本実施形態の荷物モードでは、第２表示部１１２〜第５表示部１１５は表示されないが、第４表示部に「体重」又は「荷重」と表示するようにしてもよい。また、第５表示部１１５に現在のモードとして「荷物モード」と表示するようにしてもよい。
【００７２】
制御部２０は、荷物が下ろされたか否かの判断をする（ステップ３６）。すなわち、制御部２０は、Ａ／Ｄ変換部３１から供給される各重量センサ１５による検出値が全てゼロになった場合に荷物が下ろされたと判断する。
制御部２０は、荷物が下ろされていなければ当該判断を継続し（ステップ３６；Ｎ）、荷物が下ろされた場合（ステップ３６；Ｙ）、制御部２０は、無効にしていた操作部１３のキー入力を有効にする（ステップ３７）。
【００７３】
その後、制御部２０は、有効にした操作部１３のキー操作がされたか否かを判断する（ステップ３８）。
制御部２０は、キー操作がなければ当該判断を継続し（ステップ３８；Ｎ）、キー操作がされた場合には（ステップ３８；Ｙ）、ステップ３９に移行する。
すなわち、制御部２０は、不揮発メモリ４０に保存しているモード情報を荷物モードからデフォルトモードに戻すことで、デフォルトのモード（自動認識モード）に変更して（ステップ３９）、メインルーチンにリターンする。
【００７４】
以上説明したように、本実施形態における荷物モードでは、当該モードが選択されることで操作部１３のキー操作が無効になるので、測定面上に載せた荷物が操作部１３に接触等してもエラー等になることなく計量を継続することが可能になる。
【００７５】
次に、荷物モード測定の第２例（変形例）について説明する。
図６で説明した第１例では、測定が完了して荷物が下ろされた後（ステップ３６；Ｙ）に直ちに操作部１３のキー入力を有効にする場合について説明した。
これに対して第２例では、荷物が下ろされてから所定時間経過後に操作部１３のキー入力を有効にする。この第２例によれば、一度選択した荷物モードのなかで、複数の荷物についての計量を繰り返し行うことが可能になる。
【００７６】
図７は、荷物モード測定の第２例について、その詳細を表したフローチャートである。
なお、この第２例については、図６で説明した第１例と同一部分については同一のステップ番号を付して適宜その説明を省略する。
第２例では、計量終了後に測定面から荷物が下ろされたと判断した場合（ステップ３６；Ｙ）、制御部２０は、タイマーをスタートさせる（ステップ３６２）。このタイマーは、荷物モードで無効にしている、無操作状態を検出して省電力状態への移行を判断するためのタイマーとは別の再測定用のタイマーである。
【００７７】
その後制御部２０は、再測定用に設定された所定時間が経過したか否かを判断する（ステップ３６３）。
本実施形態において、所定時間としては２分が設定されているが、他の時間（例えば、５分等）でもよい。また、荷物モードを選択した際に再測定時間としてユーザが選択できるようにし、ユーザが再測定時間を選択しない場合にはデフォルト値（例えば、２分）を使用するようにしてもよい。
この再測定時間を設けることで、ユーザは、１つの荷物だけでなく、複数の荷物の計量を行うことが可能になる。
【００７８】
所定時間が経過していなければ（ステップ３６３；Ｎ）、制御部２０は、測定面に荷物が載せれたか否かを、各重量センサ１５で検出値の有無により判断する（ステップ３６４）。
荷物が載せられていなければ（ステップ３６４；Ｎ）、ステップ３６３に戻り、再測定時間が経過するまで荷物が載せられたか否かの監視を継続する。
一方、荷物が載せられた場合（ステップ３６４；Ｙ）、制御部２０は、再測定用のタイマーをクリアし（ステップ３６５）、ステップ３１に戻って次の荷物についての計量を継続する。
【００７９】
ステップ３６２でスタートした再測定用のタイマーが、荷物が載せられることなく所定時間経過した場合（ステップ３６３；Ｙ）、制御部２０は、無効にしていた操作部１３のキー入力を有効にし（ステップ３７）、デフォルトのモード（自動認識モード）に変更して（ステップ３９）、メインルーチンにリターンする。
なお、この第２例では、タイマーによる所定時間の経過を判断しているので、キー入力を有効にした後（ステップ３９）、ユーザによるキー操作有無の判断（ステップ３８）をすることなく、デフォルトモードに移行する。
【００８０】
次に、荷物モード測定の第３例（変形例）について説明する。
この第３例は、第１例で説明した荷物モード測定において、測定面に載せられた荷物の計量途中で電源がＯＦＦにされた場合の処理を追加したものである。
図８は、荷物モード測定の第３例について、その詳細を表したフローチャートである。
なお、この第３例についても、図６で説明した第１例と同一部分については同一のステップ番号を付して適宜その説明を省略する。
荷物の計量を開始し（ステップ３１）、計量が終了していない場合（ステップ３２；Ｎ）、制御部２０は、ユーザによって電源がＯＦＦにされたか否かを判断する（ステップ３２１）。
電源がＯＦＦにされていなければ（ステップ３２１；Ｎ）、制御部２０は、荷物が下ろされたか否かを判断し（ステップ３３）、荷物が下ろされていなければ（ステップ３３；Ｎ）、ステップ３２に戻り、計量が終了するまでの間、電源ＯＦＦと荷物が下ろされたか否かの監視を継続する。
【００８１】
一方、電源がＯＦＦにされた場合（ステップ３２１；Ｙ）、その後ユーザによって電源がＯＮにされるまで待ち（ステップ３２２）、電源がＯＮになると（ステップ３２２；Ｙ）、制御部２０は、ステップ３４に移行して、無効にしていた操作部１３のキー入力を有効にし（ステップ３４）、不揮発メモリ４０に保存しておいたモード情報を荷物モードからデフォルトモードに戻し（ステップ３９）、メインルーチンにリターンする。
【００８２】
以上説明した第３例では、荷物の計量中に電源がＯＦＦにされた場合の処理（ステップ３２１、３２２）を第１例に適用した場合について説明したが、計量中に電源がＯＦＦにされた場合の処理（ステップ３２１、３２２）を第２例に適用するようにしてもよい。
【００８３】
以上、本発明における各実施形態について説明したが、本発明は説明した実施形態や説明した変形例に限定されるものではなく、各請求項に記載した範囲において各種の変形を行うことが可能である。
例えば、説明した実施形態では、モード情報を不揮発メモリ４０に保存する場合について説明したが、モード情報を揮発メモリ、例えば、制御部２０のＲＡＭに保存するようにしてもよい。
モード情報を揮発メモリに保存することで、電源スイッチ１４がオフ状態に切り替わると、ＲＡＭに保存されていたモード情報が消去されるため、デフォルトの自動認識モードに自動的に復帰すると共に、操作部１３のキー操作も自動的に有効になる。
このように、モード情報を揮発メモリに保存することで、荷物モードの第３例による電源ＯＦＦの処理（ステップ３２１、３２２）と同様に処理することができる。
【符号の説明】
【００８４】
１  生体情報測定装置
１０  装置本体
１１  表示部
１２  測定用電極
１３  操作部
１３ａ  上キー
１３ｂ  下キー
１３ｃ  クリアキー
１３ｄ  設定キー
１４  電源スイッチ
１５  重量センサ
１６  プッシュスイッチ
３１、３２  Ａ／Ｄ変換部
３３  日時情報計測部
３４  通信部
３５  音声出力部
４０  不揮発メモリ
【図１】
0006329853.tif 000002
【図２】
0006329853.tif 000003
【図３】
0006329853.tif 000004
【図４】
0006329853.tif 000005
【図５】
0006329853.tif 000006
【図６】
0006329853.tif 000007
【図７】
0006329853.tif 000008
【図８】
0006329853.tif 000009